【手続補正書】
【提出日】平成24年10月24日(2012.10.24)
【手続補正１】
【補正対象書類名】特許請求の範囲
【補正対象項目名】全文
【補正方法】変更
【補正の内容】
【特許請求の範囲】
【請求項１】
コンピュータネットワーク環境内のシンジケータのコンピュータシステム（１０１）においてオンラインサービスを前記シンジケータ（１０１）の少なくとも１つのシンジケーションパートナー（１３０）にシンジケートする方法であって、
シンジケーションパートナー及びクライアントにシンジケートされるサービス（１０５Ａ）を提供するために確立されるシンジケーション関係（１１２）が前記シンジケータ（１０１）と前記シンジケーションパートナー（１３０）との間で確立されていることを前記シンジケータのコンピュータシステム（１０１）により判定する動作と、
前記シンジケータ（１０１）によって提供されるどのサービスがシンジケーションパートナー（１３０）へのシンジケーションに利用可能であるのか、及びどのタイプの使用情報（１３１）が前記パートナーが前記シンジケータのサービスを使用するために提供されるべきなのか、をシンジケータ（１０１）が示す動作と、
どのサービスがシンジケートされるべきなのかを特定し、かつ当該シンジケートされるサービスの使用に特有の動作パラメータを示すサービスに関するパラメータを特定する使用情報を（１３１）前記シンジケーションパートナー（１３０）から前記シンジケータのコンピュータシステム（１０１）により受信する動作と、
当該受信された使用情報（１３１）に基づいて、当該受信された使用情報によって示された態様にて前記シンジケーションパートナー（１３０）に前記サービスを前記シンジケータのコンピュータシステム（１０１）により提供する動作と
を含むことを特徴とする方法。
【請求項２】
前記シンジケータ及び前記シンジケーションパートナーが、相互認証にて互いを認証して前記シンジケーション関係を確立することを特徴とする請求項１に記載の方法。
【請求項３】
前記シンジケーション関係は、信頼されたサードパーティを介して確立され、前記シンジケータ及び前記シンジケーションパートナーの両方が前記信頼されたサードパーティによって認証されることを特徴とする請求項１に記載の方法。
【請求項４】
前記シンジケーションパートナーから更新された使用情報を前記シンジケータのコンピュータシステムにより受信する動作と、
前記受信された更新使用情報に基づいて、前記受信された更新において提供された変更が前記確立されたシンジケーション関係に自動的に適用されるように前記シンジケーション関係を前記シンジケータのコンピュータシステムにより更新する動作と
をさらに含むことを特徴とする請求項１に記載の方法。
【請求項５】
前記シンジケータが、前記シンジケータによって提供されてシンジケーションパートナーにシンジケートされ得るサービスの全ての一覧を維持することを特徴とする請求項１に記載の方法。
【請求項６】
前記シンジケータが、前記シンジケータと他のシンジケーションパートナーとの間で情報がどのように通信されるかを規定することを特徴とする請求項１に記載の方法。
【請求項７】
通信の拡大ルール及び通信の代替経路が前記シンジケータによって規定されかつ有効にされることを特徴とする請求項１に記載の方法。
【請求項８】
前記シンジケーションパートナーが更新されかつ前記シンジケータの提供物への変更を認識するように、前記シンジケータと少なくとも１つのシンジケーションパートナーとを前記シンジケータのコンピュータシステムにより同期する動作をさらに含むことを特徴とする請求項１に記載の方法。
【請求項９】
前記シンジケータが、シンジケートされるサービスの各々に対してカスタマイズされているパートナー指定の請求スキームを実装可能な請求サービスを提供することを特徴とする請求項１に記載の方法。
【請求項１０】
前記シンジケータが、シンジケートされるサービスの各々に対して適切なサポートモデルを選択することを前記シンジケーションパートナーに可能とさせることを特徴とする請求項１に記載の方法。
【請求項１１】
前記シンジケータが、シンジケートされるサービスの各々に対して適切なサービス水準取り決めを選択することを前記シンジケーションパートナーに可能とさせることを特徴とする請求項１に記載の方法。
【請求項１２】
前記シンジケータが、シンジケートされるサービスの各々に対する適切なローカル規則に従ってジオアフィニティプリファレンスを選択することを前記シンジケーションパートナーに可能とさせることを特徴とする請求項１に記載の方法。
【請求項１３】
前記シンジケータが、シンジケートされるサービスの各々に対してブランド設定モデルを選択することを前記シンジケーションパートナーに可能とさせ、前記シンジケートされるサービスの各々が個別的にラベル付けされ得ることを特徴とする請求項１に記載の方法。
【請求項１４】
前記シンジケータのサービス提供物が、シンジケーションパートナーによる注文に対して提供されて、シンジケーションパートナーが様々なシンジケータ提供物に契約可能であることを特徴とする請求項１に記載の方法。
【請求項１５】
前記シンジケータが、前記シンジケーションパートナーのシンジケートされるサービスを提供するために、前記シンジケータのコンピュータリソースの一部を確保することを特徴とする請求項１に記載の方法。
【請求項１６】
シンジケータ（１０１）を有する、コンピュータネットワーク環境内のシンジケータコンピュータシステム（１０１）においてオンラインサービスを少なくとも１つのシンジケーションパートナー（１３０）にシンジケートするシステムであって、
サービス配信プラットフォームが前記シンジケータ（１０１）と複数の異なったシンジケーションパートナー（１３０）との間のシンジケーション関係（１１２）を確立するように構成されており、前記シンジケーション関係が確立されてシンジケーションパートナー（１３０）及びクライアントにシンジケートされるサービス（１０５Ａ）が提供され、シンジケーション関係の各々は、シンジケーションパートナーの各々によって前記シンジケータ（１０１）に提供されるメタデータを用いて確立されるシステムにおいて、
前記システムは、単一のアクセスポイントを介して前記シンジケータ（１０１）と一体化することを前記複数のシンジケーションパートナー（１３０）の各々に可能とさせる仲介プラットフォームを含み、
前記一体化が、
前記シンジケーション関係（１１２）を介してシンジケートされるサービスを管理するビルトインサービスを含む前記シンジケータ（１０１）によって提供される全てのオンラインサービスの一覧リストを提供する動作と、
どのサービスがシンジケートされるべきなのかを示しさらに前記サービスを提供する１または複数のパラメータを示すメタデータを含む、前記シンジケーションパートナー（１３０）の少なくとも１つからの指示を受信する動作と、
前記メタデータ内に示された前記オンラインサービスを前記シンジケーションパートナーに提供する動作とを含み、
前記サービスが当該受信されたメタデータ内に含まれている前記パラメータに従って提供されることを特徴とするシステム。
【請求項１７】
前記仲介プラットフォームが、前記メタデータで受信されたパラメータを変換するための変換ルールを前記シンジケータの対応するパラメータに提供して、前記シンジケータのデータフィールド内の前記パラメータが前記シンジケーションパートナーのデータフィールド内の前記パラメータに対応することを特徴とする請求項１６に記載のシステム。
【請求項１８】
前記サービス配信プラットフォーム及び前記仲介プラットフォームがモジュールであり、かつ同一のコンピュータシステムにおいて、異なったコンピュータシステムにおいてまたは分散型コンピュータシステムにおいて動作することを特徴とする請求項１７に記載のシステム。
【請求項１９】
前記シンジケーションパートナーの少なくとも１つが、前記シンジケータによって提供されたサービスを、第２の異なったシンジケーションパートナーにシンジケートすることを特徴とする請求項１７に記載のシステム。
【請求項２０】
シンジケータ（１０１）の少なくとも１つのシンジケーションパートナー（１３０）にオンラインサービスをシンジケートする方法を実装するコンピュータプログラムであって、前記コンピュータプログラムは、コンピューティングシステムの１または複数のプロセッサに前記方法を実行させ、前記方法が、
シンジケーションパートナー及びクライアントにシンジケートされるサービス（１０５Ａ）を提供するために確立されるシンジケーション関係（１１２）が前記シンジケータ（１０１）と前記シンジケーションパートナー（１３０）との間で確立されていることを判定する動作と、
前記シンジケータ（１０１）によって提供されるどのサービスがシンジケーションパートナー（１３０）へのシンジケーションに利用可能であるのか、及びどのタイプの使用情報（１３１）が前記パートナーが前記シンジケータのサービスを使用するために提供されるべきなのか、をシンジケータ（１０１）が示す動作と、
どのサービスがシンジケートされるべきなのかを特定し、かつ当該シンジケートされるサービスの使用に特有の動作パラメータを示すサービスに関するパラメータを特定する使用情報を（１３１）前記シンジケーションパートナー（１３０）から受信する動作と、
当該受信された使用情報（１３１）に基づいて、当該受信された使用情報によって示された態様にて前記シンジケーションパートナー（１３０）に前記サービスを提供する動作と
を含むことを特徴とするコンピュータプログラム。